(57)【要約】  軸電流コントロールブラシリング組立体が、カップと、該カップ内に固定されたブラシリング組立体とを含む。カップは、モータの面板に形成された凹部内に締りばめ、または、面板に取着されたクランプによって固定される。スリンガーを該ブラシリング組立体と組合わせることができる。
2008537469.tif 000002
【特許請求の範囲】
【請求項１】
面板と、軸とを有したモータ用の軸電流コントロールブラシリング組立体において、
外バンド、内遮蔽体および外リップを有したカップと、
前記カップ内に配置され、前記内遮蔽体と外リップとの間に保持されたブラシ集成体であって、前記ブラシ集成体が、環状の内側プレート、環状の外側プレート、および、前記内側プレートと外側プレートとの間に固定され、前記内側プレートと外側プレートを越えて半径方向内側に突出した遠位端を有した複数のフィラメントを有して成るブラシ集成体とを具備し、
前記カップおよび該カップ内に配置された前記ブラシ集成体が、モータの軸の周囲に配置され、かつ、モータの面板に固定されるようになっている軸電流コントロールブラシリング組立体。
【請求項２】
前記カップが、面板に形成された凹部内に固定される請求項１に記載の軸電流コントロールブラシリング組立体。
【請求項３】
前記カップが、面板の表面に固定されるようになっている請求項１に記載の軸電流コントロールブラシリング組立体。
【請求項４】
前記面板に固定され、前記カップを前記面板の外表面に保持するクランプを具備する請求項１に記載の軸電流コントロールブラシリング組立体。
【請求項５】
前記クランプが、前記面板に形成された穴に係合する締結具を具備する請求項４に記載の軸電流コントロールブラシリング組立体。
【請求項６】
前記クランプは、前記面板の表面に当接するベース部、前記バンド沿いに前記ベース部から外側に突出するライザー部、および、前記リップに係合するように鈎形に曲った先端部を有している請求項５に記載の軸電流コントロールブラシリング組立体。
【請求項７】
前記ブラシ集成体は、前記外側プレートに当接するように配置されリップによって外側プレートに対して保持される遮蔽体を有する請求項１に記載の軸電流コントロールブラシリング組立体。
【請求項８】
前記遮蔽体の外側に配置されたスリンガーを含む請求項７に記載の軸電流コントロールブラシリング組立体。
【請求項９】
前記カップは前記面板に形成された凹部内に固定される請求項８に記載の軸電流コントロールブラシリング組立体。
【請求項１０】
前記面板に固定され、前記カップを前記面板の外表面に対して保持するクランプを含む請求項８に記載の軸電流コントロールブラシリング組立体。
【請求項１１】
前記クランプが、前記面板の外表面に当接するベース部と、前記外バンド沿いに延在し外方へ突出したライザー部と、前記リップに係合する鈎形に曲った端部とを有する請求項１０に記載の軸電流コントロールブラシリング組立体。
【請求項１２】
軸電流コントロールブラシリング組立体において、
外バンド、内遮蔽体および外リップを有したカップと、
前記カップ内に配置され、前記内遮蔽体と外リップとの間に保持されたブラシ集成体であって、前記ブラシ集成体が、環状の内側プレート、環状の外側プレート、および、前記内側プレートと外側プレートとの間に固定され、前記内側プレートと外側プレートを越えて半径方向内側に突出した遠位端を有した複数のフィラメントを有して成るブラシ集成体とを具備した軸電流コントロールブラシリング組立体。
【請求項１３】
前記ブラシ集成体は、前記外側プレートに当接するように配置されリップによって外側プレートに対して保持される遮蔽体を有する請求項１２に記載の軸電流コントロールブラシリング組立体。
【請求項１４】
前記遮蔽体の外側に配置されたスリンガーを含む請求項１３に記載の軸電流コントロールブラシリング組立体。
【請求項１５】
電動モータにおいて、
モータの面板と、
前記面板の外側に突出したモータの軸と、
前記軸の周囲に配置され、かつ、前記面板に固定された軸電流コントロールブラシリング組立体とを具備し、
前記軸電流コントロールブラシリング組立体が、
外バンド、内遮蔽体および外リップを有したカップと、
前記カップ内に配置され、前記内遮蔽体と外リップとの間に保持されたブラシ集成体であって、前記ブラシ集成体が、環状の内側プレート、環状の外側プレート、および、前記内側プレートと外側プレートとの間に固定され、前記内側プレートと外側プレートを越えて半径方向内側に突出した遠位端を有した複数のフィラメントを有して成るブラシ集成体とを具備し、
前記カップおよび該カップ内に配置された前記ブラシ集成体が、モータの軸の周囲に配置され、かつ、モータの面板に固定されている電動モータ。
【請求項１６】
前記カップが、面板に形成された凹部内に固定される請求項１５に記載の電動モータ。
【請求項１７】
前記面板に固定され、前記カップを前記面板の外表面に固定するクランプを具備する請求項１５に記載の電動モータ。
【請求項１８】
前記クランプは、前記面板の表面に当接するベース部、前記バンド沿いに前記ベース部から外側に突出するライザー部、および、前記リップに係合するように鈎形に曲った先端部を有している請求項１７に記載の電動モータ。
【請求項１９】
前記ブラシ集成体は、前記外側プレートに当接するように配置されリップによって外側プレートに対して保持される遮蔽体を有する請求項１５に記載の電動モータ。
【請求項２０】
前記遮蔽体の外側に配置されたスリンガーを含む請求項１９に記載の電動モータ。
【発明の詳細な説明】
【技術分野】
【０００１】
本発明は、交流可変速モータや、直流モータ、発電機その他の回転軸に生じる軸電流を制御するための接地装置に関し、特に、非接触式の接地装置に関する。
【背景技術】
【０００２】
電流が軸に誘導されることは電動モータで経験され、そして、可変速駆動装置によって駆動される三相モータで一般的に経験される。可変速駆動装置は、パルス幅変調技術を用いて、交流モータの速度を変更し、以て、従来高価な直流モータが用いられてきた応用例で一層安価な交流モータを利用可能としている。可変速駆動装置を備えた交流モータの使用の欠点は、可変速駆動装置によって一層高い同相電圧（ＣＭＶ）が生じ、軸に誘導される電流が増加する点である。
【０００３】
モータの軸に生じる電圧によって、電流が軸受からモータのフレームを通って接地される。モータが回転しているとき、軸受は電流に対して抵抗が大きくなり、軸表面が帯電するようになる。短時間のうちに、同相電圧によって電荷は高レベルになる。電荷は、最小の電気抵抗経路、通常は軸のボールベアリングの閾値を破ると、該軸受を通って瞬間的に電気エネルギのバーストまたは放電が生じる。この放電によって放電加工（ＥＤＭ）が生じ、ベアリングレースや軸受のボールの表面が損傷することがある。電気エネルギのバーストによって、溶融孔が形成されたり、該溶融孔の形成によって生じる粒子が、封止されているベアリング内に残留することがある。ベアリング内の溶融孔および粒子の双方は、ベアリングの円滑な回転を阻害し、これによって、物理的に損傷してベアリングが早期に故障することがある。
【０００４】
この問題を克服するために、多くの緩和技術が試みられてきた。周知の試みには、導電性のベアリンググリースの使用、ベアリングの絶縁、および、リン化銅のブラシとファラデー遮蔽の使用が含まれる。これまで用いられてきた幾分コストの掛かる一般的な解決方法は、バネで付勢された銅製ブラシを用いて軸を接地し、電流を連続的にアースすることである。銅製ブラシは、然しながら、非常に急速に損耗し、たびたび繰返し補修、交換しなければならない。更に、軸に堆積した酸化物や、ブラシと軸との間の他の阻害物によって電流が低減し、ブラシおよび軸を横断して電気エネルギのバーストが生じる。バネにより付勢されたブラシは、また、ブラシと軸表面との間のスティックスリップ摩擦関係によって振動を生じやすい。ブラシの振動は、何が原因であっても、望ましくないスパークを生じる。
【０００５】
米国特許出願第１０／８７７１１２号には、モータの軸を包囲するホルダに設けられた導電性フィラメントを含むモータの軸の電流を緩和するための接地ブラシが開示されている。このブラシは、絶縁された軸または絶縁されたローラ上の電荷を低減する非接触式イオン化装置として使用することができる。
【０００６】
【特許文献１】米国特許出願第１０／８７７１１２号明細書
【発明の開示】
【発明が解決しようとする課題】
【０００７】
最低限の保守、交換で長期間に亘って効果的に使用可能で、簡単かつ迅速に新規のモータに装着したり、既存のモータに後付け可能な接地装置が必要である。
【課題を解決するための手段】
【０００８】
本発明は、改造したモータの面板に圧力嵌めしたり、モータを改造することなくモータの軸に対して正しい位置にモータのエンドプレートに後付けできる接地ブラシ集成体を提供する。
【０００９】
本発明の１つの特徴によれば、面板と、軸とを有したモータ用の軸電流コントロールブラシリング組立体が提供される。この組立体は、外バンド、内遮蔽体および外リップを有したカップを具備している。ブラシ集成体が、前記カップ内に配置され、前記内遮蔽体と外リップとの間に保持される。該ブラシ集成体は、環状の内側プレート、環状の外側プレート、および、前記内側プレートと外側プレートとの間に固定された複数のフィラメントとを有している。該フィラメントは、前記内側プレートと外側プレートを越えて半径方向内側に突出した遠位端を有している。前記カップおよび該カップ内に配置された前記ブラシ集成体がモータの軸の周囲に配置され、かつ、モータの面板に固定される。
【００１０】
本発明の他の特徴によれば、外バンド、内遮蔽体および外リップを有したカップを備えた軸電流コントロールブラシリング組立体が提供される。ブラシ集成体が、前記カップ内に配置され、前記内遮蔽体と外リップとの間に保持される。該ブラシ集成体は、環状の内側プレート、環状の外側プレート、および、前記内側プレートと外側プレートとの間に固定された複数のフィラメントとを有している。前記内側プレートと外側プレートを越えて半径方向内側に突出した遠位端を有している。
【００１１】
本発明の更に他の特徴によれば、モータの面板と、前記面板の外側に突出したモータの軸と、前記軸の周囲に配置され、かつ、前記面板に固定された軸電流コントロールブラシリング組立体とを具備した電動モータが提供される。軸電流コントロールブラシリング組立体は、外バンド、内遮蔽体および外リップを有したカップを含んでいる。ブラシ集成体が、前記カップ内に配置され、前記内遮蔽体と外リップとの間に保持される。該ブラシ集成体は、、環状の内側プレート、環状の外側プレート、および、前記内側プレートと外側プレートとの間に固定された複数のフィラメントを有している。該フィラメントは、前記内側プレートと外側プレートを越えて半径方向内側に突出した遠位端を有している。前記カップおよび該カップ内に配置された前記ブラシ集成体は、モータの軸の周囲に配置され、かつ、モータの面板に固定される。
【発明の効果】
【００１２】
本発明によれば、電動モータの軸電流を低減する効果的な導電性ブラシ集成体が提供される。
【００１３】
更に、本発明によれば、長期間に亘って点検、保守、修理することなく効果的に機能する電動モータ用接地装置が提供される。
【００１４】
更に、本発明によれば、構成要素の配置を正確かつ最適にすることによって、装置の接地性能を高めた導電性の高い導電ブラシ装置が提供される。
【００１５】
更に、本発明によれば、異なるサイズのモータに容易に適合される電動モータ用接地装置が提供される。
【００１６】
更に、本発明によれば、簡単かつ迅速に、新規のモータの製造に際して装着したり、既存のモータに重大な変更を加えることなく後付け可能な軸電流コントロールブラシリング組立体が提供される。
【００１７】
本発明の他の特徴、利点は、以下の本発明の詳細な説明、特許請求の範囲、図面の記載から明らかとなろう。
【発明を実施するための最良の形態】
【００１８】
本発明の実施形態を詳細に説明する前に、本発明の応用範囲は、以下に記載しまた図面に示す構造の詳細および構成要素の配置に限定されない。本発明は、他の形態をとったり、また、種々の方法で実施することができる。また、本明細書で使用される語法および専門用語は、記述目的で使われ限定的に理解されるべきではない。本明細書で使われる「含む」や「具備する」およびそれらの変形は、付加的な細目およびその均等物は元より、その後に列挙される細目および均等物を包含することを意味する。
【００１９】
添付図面、特に図１を参照すると、本発明による軸電流コントロールブラシリング組立体が参照番号１０にて指示されている。ブラシリング組立体１０は、モータ１２の軸１６に溜る電荷を散逸させるために、モータ１２（図２）、特に、モータ１２の面板１４に取付けられる。ブラシリング組立体１０は、異なるタイプのモータおよび異なる直径の軸１６で用いるために種々の異なる寸法にて形成することができることは理解されよう。
【００２０】
ブラシリング組立体１０は、軸１６を包囲する概ね環状形状をなしている。ブラシリング組立体１０は面板１４に固定され、かつ、軸１６と面板１４との間で作用するように配設される。ブラシリング組立体１０は連続的に作用して、モータ１２の作動中にモータの軸１６に溜る電荷を、軸１６から面板１４へ、そしてモータ１２の接地回路へ輸送することによって、該電荷を散逸させる。
【００２１】
ブラシリング組立体１０は、環状カップ２０と、該環状カップ内に配設されたブラシ集成体２２とを含む。カップ２０は、外バンド２４、内遮蔽体２６および外リップ２８とを含む。外バンド２４、内リップ２６および外リップ２８は、環状シェル形または環状チャンネル形のカップ２０が形成され、該カップ内にブラシ集成体２２が配設される。カップ２０は、後述するように、導電材料から形成され、かつ、該組立体を面板１４に取付けるために必要な機械的特性を有している。こうして、カップ２０は、アルミニウム、ステンレス鋼、青銅、銅その他の適当な材料から形成することができる。
【００２２】
ブラシ集成体２２は、実質的に連続するリングとして、或いは、軸１６の周囲に周方向に設けられた束として個別に配置された複数の個々のフィラメント３０を含んでいる。各フィラメント３０は、細く髪の毛のような構造を有し、そして、カーボン繊維、ステンレス鋼、アクリル繊維やナイロン繊維のような導電性プラスチックその他の導電性繊維状のフィラメントである。該フィラメントは、電場が生じると、イオン化を誘導するのに十分に小さな直径を有するようにできる。フィラメント３０は、概ね１５０μｍよりも小さな直径を有している。好ましくは、フィラメント３０は、約５μｍ〜約１００μｍの範囲の直径を有している。
【００２３】
図３の部分拡大図を参照すると、フィラメント３０またはその束は、環状の内側プレート３２と環状の外側プレート３４との間に保持されている。フィラメント３０の遠位の端部は、環状の内側プレート３２および外側プレート３４の内縁を超えて突出している。フィラメント３０またはその束は、導電性の接着剤、接着テープその他の適当な手段（図示せず）によって、内側プレート３２および外側プレート３４に固定することができる。或いは、フィラメント３０は、内側プレート３２と外側プレート３４の対面する表面に対して直接配置し、リップ２８によってブラシ集成体２２を遮蔽体２６に対して保持させるようにして、カップ２０内に圧入するようにすることもできる。
【００２４】
内側プレート３２と外側プレート３４は、フィラメント３０からカップ２０へ電荷を輸送する導電性材料から形成されており、アルミニウム、ステンレス鋼、青銅、銅その他の適当な材料から形成することができる。外側プレート３４の外側に環状の遮蔽体３６が配設されており、該遮蔽体は、内側プレート３２および外側プレート３４よりも小さな直径で、かつ、軸１６の直径よりも僅かに大きな直径の中心開口部を有している。こうして、遮蔽体３６は、フィラメント３０から離間しているが、該フィラメントを覆い保護する。遮蔽体３６は、ブラシ集成体２２への汚染物質の進入を防止する最小の距離を以て軸１６から僅かに離間しており、遮蔽体３６と軸１６との間に小さな間隙３８が形成される。
【００２５】
図２は、ブラシリング組立体１０を面板１４に取付ける方法を示している。特に、面板１４には、カップ２０を圧力嵌めにて受容するために適切な直径に正確に加工された凹部４０を有している。ブラシ集成体２２は、該ブラシ集成体２２をカップ２０内に押圧するようにリップ２８を内側に折曲げて、カップ２０内に装着される。完成したブラシリング組立体１０が凹部４０内に圧入され、そこに締りばめにて保持される。リップ２８は、汚染物質をブラシ集成体２２に寄せ付けないようにするために、傾斜をつけて外側プレート３４はもとより面板１４の外表面から僅かに外側ととすることができる。面板１４を下方へ伝ってくる流体や粒子はリップ２８によって外方へ逸らされる。凹部４０を精密に加工することによって、フィラメント３０を軸１６に対して正確、最適に位置決めして、軸電流コントロールブラシリング組立体１０の性能を最適化することができる。カップ２０は、内側遮蔽体２６と外側遮蔽体２４との接合部でテーパ状に形成したり、或いは、面取りして凹部４０内へのカップ２０の装着を容易にしてもよい。
【００２６】
装着されると、フィラメント３０は、接地ブラシとして軸１６に直接接触し、軸１６からブラシリング組立体１０へ電荷を直接輸送する。或いは、フィラメント３０は、軸１６に溜った電荷によって電場が形成されたときに、イオン化された場が形成され、軸１６からフィラメント３０へ電荷が間接的に輸送されるように、軸１６から最小の距離を以て離間するようにしてもよい。更に他の適当な構成では、モータ１２が停止中または低速で回転しているときに、細く軽いフィラメント３０を軸１６に接触させるようにしてもい。起動時および使用時に軸１６の速度が高くなると、空気の流動によってフィラメント３０が軸１６から離反する。フィラメント３０と軸１６との摩擦接触の時間をなくす、或いは、低減することによって、フィラメント３０の損耗を低減し寿命を長くすることができる。面板１４は電気的に接地されており、軸１６に溜った電荷は、アークが生じる前にブラシリング組立体１０によって地面に散逸される。
【００２７】
図４に本発明の更に他の実施形態を示す。図４の実施形態では、カップ２０の外リップにスリンガー４２が設けられている。スリンガー４２は従来の構成であって、この技術分野では周知となっている。スリンガー４２は軸１６と共に回転するように軸１６に取付けられている。スリンガー４２に接触する粒子や流体は、回転するスリンガーの遠心力の作用によって、ブラシ集成体２２から離反するように外方へ押しやられる。面板１４を下方へ伝ってくる流体や粒子はリップ２８によって外方へスリンガー４２へ逸らされ、上述したように外方へ押しやられる。
【００２８】
図５に本発明の更に他の実施形態を示す。図５の実施形態では、軸電流コントロールブラシリング組立体１０は、複数のクランプ５０によって面板１４上の作用位置に保持される。１つのクランプ５０のみが図示されているが、組立体１０の周囲に配置された複数のクランプ５０を用いることができる。軸電流コントロールブラシリング組立体１０は、面板１４の外表面５２に装着される。クランプ５０は、外表面５２に当接するベース部５４と、ベース部５４に対して実質的に垂直に設けられ外バンド２４の縁部に沿って延在するライザー部５６を具備している。鈎形に曲った環状端部５８が外リップ２８に重畳、係合している。端部５８は、遮蔽体３６およびリップ２８に係合して、ブラシリング組立体１０を面板１４に対してしっかりと保持する。ネジまたはボルトのような締結具６０が、面板１４の穴６２に受容される。クランプ５０は、ブラシリング組立体１０を面板１４に対して付勢、保持するために、バネ状に形成することができる。複数のクランプ５０を利用可能であるが、１つのクランプであってもよい。環状の構造において、個々の構成要素は、途切れることなくブラシリング組立体１０の周囲に完全に延びる環状である必要はない。１または複数のベース部５４、ライザー部５６および端部５８を、複数の部材または連続した環状にて形成してもよい。例えば、複数の個別のライザー部分を、１つの環状ベース部５４と１つの環状端部５８との間に、または、複数のベース部分と複数の端部分との間に用いることができる。環状のライザー部５６を、複数のベース部分および／または複数の端部分との間に用いてもよい。
【００２９】
複数のクランプ５０または上述したその変形例の１つを用いることによって、リング組立体１０は、締結具６０を受容する適切な穴６２を穿孔するだけで、モータを改造することなく、迅速かつ簡単にリング組立体１０を後付することができる。後付は簡単かつ迅速に行える。
【００３０】
上述した実施形態の変形、修正は本発明の範囲内である。ここに、開示され定義された本発明は、明細書および／または図面に記載され或いは明細書および／または図面から明らかな２以上の各特徴のすべての組合わせに及ぶ。これら全ての各組合わせは、本発明の種々の特徴を構成する。ここに記載した実施形態は、本発明を実施するための分っている形態であって、当業者が本発明を利用できるようにするものである。特許請求の範囲は、従来技術で許されている代替的実施形態に及ぶ。
本発明の種々の特徴は特許請求の範囲に記載されている。
【図面の簡単な説明】
【００３１】
【図１】本発明による軸電流コントロールブラシリング組立体の断面図である。
【図２】電動モータの面板に形成されたボアに取付けた軸電流コントロールブラシリング組立体の断面図である。
【図３】図１の軸電流コントロールブラシリング組立体の一部を拡大して示す断面図である。
【図４】環状のスリンガーを有したモータと共に使用するための本発明による軸電流コントロールブラシリング組立体の断面図である。
【図５】モータのリング組立体を介挿するために、クランプを用いた取付装置を示す本発明による軸電流コントロールブラシリング組立体の断面図である。
【符号の説明】
【００３２】
１０    コントロールブラシリング組立体
１２    モータ
１４    面板
１６    軸
２０    カップ
２２    ブラシ集成体
２４    外バンド
２６    内遮蔽体
２８    外リップ
３０    フィラメント
３２    内側プレート
３４    外側プレート
【図１】
2008537469.tif 000003
【図２】
2008537469.tif 000004
【図３】
2008537469.tif 000005
【図４】
2008537469.tif 000006
【図５】
2008537469.tif 000007
【国際調査報告】
2008537469.tif 000008
2008537469.tif 000009
2008537469.tif 000010